(57)【要約】【課題】  装置のコストが嵩むことなく、ユーザによる丸刃の交換作業が可能であり、丸刃を装置から取り外した際の安全性を高めた切断装置を提供する。【解決手段】  記録媒体の搬送方向に対して直交する方向に固定された直線状の固定刃に対し、回転可能な丸刃を固定刃に当接させながら回転移動させることで記録媒体を切断する切断装置において、丸刃ユニットが本体に装着された状態では、固定刃に対して丸刃が当接する位置と退避する位置に回動可能とし、丸刃ユニットが本体から脱着された状態では、丸刃が回動することを防止するロック部材を丸刃ユニットに設ける。【選択図】  図６
2007245242.tif 000002
【特許請求の範囲】
【請求項１】
記録媒体の搬送方向に対して直交する方向に固定された直線状の固定刃と、
円盤状の丸刃を回転可能に軸支し、且つ、前記記録媒体の搬送方向に対して直交する方向に対して回動中心軸を設けて、前記固定刃に対して前記丸刃が当接する位置と退避する位置に回動可能である丸刃回動ホルダと、
前記丸刃回動ホルダを回動させる回動トリガー部材と、
前記丸刃回動ホルダと前記回動トリガー部材とを収納する丸刃ユニットと、
前記丸刃ユニットを前記記録媒体の搬送方向に対して直交する方向に移動させる移動手段と、を有する切断装置において、
前記丸刃ユニットが前記移動手段から脱着された状態では、前記回動トリガー部材が前記丸刃回動ホルダを回動させることを防止し、
前記丸刃ユニットが前記移動手段に装着された状態では、前記回動トリガー部材が前記丸刃回動ホルダを回動させることが可能となるロック部材を前記丸刃ユニットに設けたことを特徴とする切断装置。
【請求項２】
前記移動手段は、前記記録媒体に対して画像を記録するための記録ヘッドを前記記録媒体の搬送方向に対して直交する方向に移動させるキャリッジであることを特徴とする請求項１に記載の切断装置。
【請求項３】
前記丸刃回動ホルダの回動中心軸は、搬送方向に対して、前記固定刃よりも下流側に配置したことを特徴とする請求項１に記載の切断装置。
【発明の詳細な説明】
【技術分野】
【０００１】
本発明は、ロール状の記録媒体をシート状に切断する切断装置に関し、主にプリンター、複写機、ファクシミリ、ラミネータ等の出力機器に搭載、またはカッティングマシーン等の単独で使用される切断装置に関する。
【背景技術】
【０００２】
従来、一対の刃を用いて記録媒体を切断する装置が知られている。このような切断装置は、例えば、ロール状の記録媒体を収容し、記録媒体をプラテンまで送り、キャリッジによる記録ヘッドの走査（往復動作）により画像データを記録する画像記録装置に搭載されている。この種の切断装置は、画像データを記録した記録媒体をページ毎に切断し、切り分ける手段として用いられている。
【０００３】
この種の切断装置としては、ナイフ状の刃を用いた切断装置や、一方が長尺の固定刃で他方が回転可能な丸刃を一対の刃として用いた切断装置や、双方共に回転可能な丸刃を用いた切断装置がある。
【０００４】
そして、回転可能な丸刃を用いた切断装置は、ナイフ状の刃を用いた切断装置と比較して、切り口が良好であり、多種多様な記録媒体の切断が可能であり、かつ長寿命という優位性を有している。
【０００５】
ところが、近年、画像記録装置に使用される記録媒体には、紙やフィルム、厚紙、布、不織布、粘着紙等、更にこれらの中で厚さや剛度が異なる多数の種類が設定されている。そのため、一方が長尺の固定刃で他方が回転可能な丸刃を一対の刃として用いた切断装置を用いても、切断装置を画像記録装置の装置寿命まで使い切るためには、十分に過剰なスペックで設計する必要がある。また、丸刃は固定刃の延在方向に必要な切断幅分だけ複数回に回転して移動する構成であるため、丸刃は固定刃に比べ磨耗し易い。したがって、丸刃が劣化した場合を考慮して、丸刃は交換可能にすることが切断装置として望ましい。なお、交換作業はユーザが行えることが望ましく、そのためにも、工具等を必要とせずに、丸刃の交換作業が簡単に行えることが必須である。固定刃と丸刃を用いて、且つ、工具等を必要とせずに、丸刃の交換作業が簡単に行える手段について、次に挙げる構成が開示されている。
【０００６】
従来、丸刃を固定刃の延在方向に往復移動させる移動台には、丸刃を係止するための係止部材を備え、係止部材の切り欠き孔の周縁部に突起を設ける。丸刃を格納した交換可能な丸刃ホルダーの筒体には、ガイド溝とロック溝を設ける。そして、丸刃の装着時には、係止部材の突起に丸刃ホルダーのガイド溝を合せて、丸刃ホルダーの筒体を切り欠き孔に挿入し、丸刃ホルダーの軸を中心に、ロック溝が形成された方向に回転させ、ロック溝を突起に嵌め込む構成がある（例えば、特許文献１参照。）。
【特許文献１】特開２００４−２６８２２５号公報
【発明の開示】
【発明が解決しようとする課題】
【０００７】
しかしながら、従来技術（例えば、特許文献１参照。）においては、丸刃は常時、固定刃に圧接した構成となるため、丸刃を固定刃の延在方向に往復移動させる移動台は丸刃専用となる。また、移動台を切断方向に移動させるために、モータとワイヤ等の専用の駆動手段を設ける構成をとらなければならないため、装置が大型化し、且つ、コストが嵩むという課題がある。
【０００８】
そこで、丸刃を画像記録装置の記録ヘッドを移動させるためのキャリッジに搭載する構成をとることにより、丸刃専用の移動台を設ける必要がなくなり、且つ、丸刃専用の駆動手段も設ける必要がなくなるため、装置のコストが嵩むことがなくなる。しかしながら、丸刃をキャリッジに搭載する場合、固定刃と丸刃は当接して切断することが必須であるため、画像記録装置に記録媒体を搬送する際には、丸刃を搬送経路から退避し、記録媒体の搬送経路を確保することが必要となる。そのため、固定刃と丸刃を用いて、且つ、キャリッジに丸刃を搭載した切断装置において、丸刃を固定刃に対して当接及び退避する手段が必要となる。
【０００９】
また、ユーザによる交換作業が可能な丸刃の構成をとる際には、ユーザが画像記録装置から丸刃を取り外した際、不用意に丸刃に触れることを防止しなければならない。従来技術（例えば、特許文献１参照。）においては、丸刃に対して必要最小限の開口部を有したカバーを設けて丸刃を保護している。そのため、ユーザへの安全性を確保し、丸刃の損傷を防止することができる。しかしながら、丸刃をキャリッジに搭載する場合、丸刃を固定刃に対して当接及び退避する手段が必要であるため、上記のようなカバーを設けて丸刃を保護することは困難であり、当接した状態では、丸刃が露出することとなる。したがって、ユーザが画像記録装置から丸刃を取り外した際に、丸刃が当接した状態と同じ状態になると、ユーザは丸刃に触れることが可能となるため、安全に取り扱うことができなくなるという課題がある。
【００１０】
そこで、本発明は上記のような技術的課題に鑑みてなされたものであり、本発明の目的は、装置のコストが嵩むことなく、ユーザによる丸刃の交換作業が可能であり、丸刃を装置から取り外した際の安全性を高めた切断装置を提供することである。
【課題を解決するための手段】
【００１１】
上記課題を解決するため、以下の手段を有する。
【００１２】
（請求項１）
記録媒体の搬送方向に対して直交する方向に固定された直線状の固定刃と、
円盤状の丸刃を回転可能に軸支し、且つ、前記記録媒体の搬送方向に対して直交する方向に対して回動中心軸を設けて、前記固定刃に対して前記丸刃が当接する位置と退避する位置に回動可能である丸刃回動ホルダと、
前記丸刃回動ホルダを回動させる回動トリガー部材と、
前記丸刃回動ホルダと前記回動トリガー部材とを収納する丸刃ユニットと、
前記丸刃ユニットを前記記録媒体の搬送方向に対して直交する方向に移動させる移動手段と、を有する切断装置において、
前記丸刃ユニットが前記移動手段から脱着された状態では、前記回動トリガー部材が前記丸刃回動ホルダを回動させることを防止し、
前記丸刃ユニットが前記移動手段に装着された状態では、前記回動トリガー部材が前記丸刃回動ホルダを回動させることが可能となるロック部材を前記丸刃ユニットに設ける。
【００１３】
（請求項２）
前記移動手段は、前記記録媒体に対して画像を記録するための記録ヘッドを前記記録媒体の搬送方向に対して直交する方向に移動させるキャリッジである。
【００１４】
（請求項３）
前記丸刃回動ホルダの回動中心軸は、搬送方向に対して、前記固定刃よりも下流側に配置する。
【発明の効果】
【００１５】
本発明の切断装置は、
（１）丸刃ユニットが脱着された状態では、回動トリガー部材が丸刃回動ホルダを回動させることを防止し、丸刃ユニットが装着された状態では、回動トリガー部材が丸刃回動ホルダを回動させることが可能となるロック部材を丸刃ユニットに設けている。そのため、丸刃ユニットの着脱状況に応じて、丸刃を露出することが可能か不可能かを切り換えることができ、丸刃を装置から取り外した際の安全性を高めることができる。
【００１６】
（２）移動手段は、記録ヘッドを移動させるキャリッジである。そのため、丸刃ユニット専用の移動手段を設ける必要がなく、コストが嵩むことのない構成をとることができる。
【００１７】
（３）丸刃回動ホルダの回動中心軸は、搬送方向に対して、固定刃よりも下流側に配置している。そのため、厚紙等の切断抵抗の高い記録媒体を切断しても、丸刃は記録媒体から固定刃に当接する回動方向に力を受けるため、丸刃が退避する回動方向に逃げることがなく、良好な切り口で記録媒体を切断することができる。
【発明を実施するための最良の形態】
【００１８】
次に、本発明の一実施形態に係る切断装置を備えた画像記録装置について、図面を参照して説明する。なお、各図面を通して、同一符号は同一または対応部分を示すものである。
【００１９】
図１を参照して、画像記録装置に記録媒体が給紙され、切断装置により切断されるまでの一連の動作について説明する。図１は本発明の切断装置を画像記録装置に適用した場合の主要部斜視図である。図１において、記録手段である記録ヘッド１を搭載したキャリッジ４０は、画像記録装置に設置された走査ガイドとしてのメインレール２とサブレール３に沿って往復移動可能に案内支持されている。記録部に給紙されたロール状の記録媒体（ロール紙）は、搬送手段としての一対のローラからなる搬送ローラ４によって搬送される。なお、ロール紙は、連続したロール状の記録紙やプラスチックシートからなる記録媒体であり、その材質は紙に限定されるものではない。記録部には記録媒体を裏面から案内支持するためのプラテン５が配設されている。該プラテン５により記録ヘッド１と記録媒体とのギャップが保証されている。
【００２０】
記録部において記録ヘッド１の往動または復動による１ライン分のスキャンにより画像を記録すると、記録媒体を搬送ローラ４により矢印Ａの方向（搬送方向）に所定ピッチだけ送り、記録ヘッド１を再び移動させて次のラインの画像記録を行う。これを繰り返してページ全体に画像が記録される。記録媒体の記録済み部は排紙部材７に案内されて装置本体の外部へ向けて搬送される。
【００２１】
画像記録が終了すると、記録媒体は搬送ローラ４により所定の切断位置まで搬送される。そして、切断動作の信号により、画像記録後の記録媒体を切断装置２００によって切断する。すなわち、キャリッジ４０が画像記録装置の左端の位置（図１の左側）まで移動され、切断装置２００を構成する丸刃２１を固定刃６に当接させる。その状態で、キャリッジ４０を矢印Bの方向に移動させる。この際、固定刃６の刃先に沿って切断が行われ、搬送方向（矢印Ａの方向）の下流側にある記録済み部を切り離す。
【００２２】
そして、切断された記録媒体は、切断装置よりも下方に配置されている不図示のスタック部材に排紙される。なお、プラテン５の通紙面と、固定刃６の上面の関係は、固定刃６の上面の方がやや低く、固定刃６の上面と、排紙部材７の上面の関係は、排紙ガイド７の上面の方がやや低い。したがって、これらは記録媒体が搬送される方向に対して、漸次低位に配置されている。
【００２３】
次に、図２、図３、図４、図５及び図６を参照して、固定刃６及び丸刃ユニット２０の構成について説明する。図２は本発明による切断装置を構成する丸刃ユニットの斜視図である。図３は丸刃収納時の切断装置を示す模式的縦断面図である。図４は丸刃当接時の切断装置を示す模式的縦断面図である。図５は丸刃回動ホルダが回動可能の状態を示す斜視図である。図６は丸刃回動ホルダが回動不可能の状態を示す斜視図である。図２、図３、図４、図５及び図６において、固定刃６は、不図示の画像記録装置本体のシャーシーに取り付けられている。丸刃ユニット２０は、丸刃２１、丸刃回動ホルダ２２、回動トリガー部材２３、丸刃戻しバネ２４、軸部材２５、丸刃押圧バネ２６、ロック部材２７、ロック戻しバネ２８及び丸刃ユニットカバー２９等から構成されている。なお、丸刃２１の寿命等で丸刃２１を交換する際には、ユーザは丸刃ユニット２０を交換する。丸刃２１は、不図示の軸受を介して丸刃回動ホルダ２２に回転可能に取り付けられている。丸刃回動ホルダ２２は、軸部材２５に軸支されており、矢印Ｄの方向及び矢印Ｅの方向に回動可能に取り付けられている。回動トリガー部材２３は、軸部材２５に軸支されており、矢印Ｄの方向及び矢印Ｅの方向に回動可能であり、回動トリガー部材２３が回動することにより丸刃回動ホルダ２２が一体的に回動するように形成されている。丸刃戻しバネ２４は、丸刃回動ホルダ２２を内挿して、矢印Ｄの方向に回動トリガー部材２３を付勢している。軸部材２５は、丸刃ユニットカバー２９の凹部により端部が保持されており、軸部材２５の軸中心が、丸刃回動ホルダ２２及び回動トリガー部材２３の回動中心となる。軸部材２５の軸中心は、搬送方向（矢印Ａの方向）に対して、固定刃６の刃先よりも下流側に配置されている。丸刃押圧バネ２６は、丸刃回動ホルダ２２と回動トリガー部材２３とに格納されており、丸刃２１の固定刃６への当接時に、丸刃２１を固定刃６に押圧する。ロック部材２７は、丸刃ユニットカバー２９に取り付けられており、丸刃ユニット２０がキャリッジ４０から取り外された状態の時に、回動トリガー部材２３が矢印Ｅの方向に回動することを防止している。丸刃ユニット２０がキャリッジ４０に取り付けられた状態の時は、キャリッジ４０に取り付けられている不図示のロック解除部材により、ロック部材２７は、矢印Ｇの方向に回動し、回動トリガー部材２３が矢印Ｅの方向に回動することが可能となる。ロック戻しバネ２８は、矢印Ｆの方向にロック部材２７を付勢している。丸刃ユニットカバー２９は、丸刃２１、丸刃回動ホルダ２２、回動トリガー部材２３、丸刃戻しバネ２４、軸部材２５、丸刃押圧バネ２６、ロック部材２７、ロック戻しバネ２８等を格納するカバーである。
【００２４】
図３及び図４に示すように、丸刃ユニット２０をキャリッジ４０に取り付けた状態で、丸刃突き出し部材１１が、矢印Ｈの方向に移動すると、回動トリガー部材２３は矢印Ｅの方向に回動する。回動トリガー部材２３は丸刃回動ホルダ２２を一体的に回動させるため、丸刃回動ホルダ２２も矢印Ｅの方向に、丸刃２１が固定刃６に当接する位置まで回動する。また、丸刃突き出し部材１１が、矢印Ｉの方向に移動すると、丸刃戻しバネ２４が回動トリガー部材２３を矢印Ｄの方向に付勢しているため、丸刃回動ホルダ２２及び回動トリガー部材２３は、矢印Ｄの方向に一体的に回動する。このことにより、丸刃２１は丸刃ユニットカバー２９内に収納される。
【００２５】
次に、図１、図７及び図８を参照して、切断時の切断装置２００の作用について説明する。図７は丸刃収納時の切断装置を示す斜視図である。図８は丸刃当接時の切断装置を示す斜視図である。図７及び図８において、丸刃突き出し部材１１は、キャリッジ４０に移動可能に取り付けられており、切断時に回動トリガー部材２３を矢印Ｅの方向に回動させる。ギア１２及びギア１３は、キャリッジ４０に取り付けられており、突き当て部材１４の移動を丸刃突き出し部材１１に伝達する。突き当て部材１４は、キャリッジ４０に移動可能に取り付けられている。
【００２６】
前述のように、記録媒体は搬送ローラ４により搬送されると、キャリッジ４０の往復動作により、記録ヘッド１でページ全体に画像を記録される。なお、画像記録中の丸刃２１は、図３に示すように、丸刃ユニットカバー２９内に収納されている。１ページの画像記録が終了すると、画像が記録された記録媒体は搬送ローラ４で所定の切断位置まで搬送され、切断動作が入る。切断動作としては、まずキャリッジ４０を画像記録装置の左端の位置（図１の左側）まで矢印Ｃの方向へ移動させる。キャリッジ４０が画像記録装置の左端の位置まで移動すると、不図示のストッパ部材により、突き当て部材１４は矢印Ｂの方向に移動させられる。そして、丸刃突き出し部材１１は、ギア１２及びギア１３を介して矢印Ｈの方向に移動させられる。これにより丸刃２１は、丸刃ユニットカバー２９内に収納されている位置（図７に示す位置）から、丸刃２１が固定刃６に当接する位置（図８に示す位置）まで移動させられる。丸刃２１を、図８に示すように、丸刃２１が固定刃６に対して当接する位置まで移動させると、丸刃２１を回転させながらキャリッジ４０を画像記録装置の右端の位置（図１の右側）まで矢印Ｂの方向へ移動させる。キャリッジ４０の移動の際、記録媒体の記録済み部は、固定刃６と丸刃２１により、固定刃６の刃先の位置で切断される。この切断時は、丸刃突き出し部材１１が回動トリガー部材２３の矢印Ｄの方向への回動を規制しているため、丸刃２１は固定刃６に確実に当接している。なお、切断時に丸刃２１は記録媒体から鉛直上方への力を受ける。しかしながら、軸部材２５の軸中心を搬送方向（矢印Ａの方向）に対して、固定刃６の刃先よりも下流側に配置しているため、記録媒体から力を受けても、丸刃２１が固定刃６に当接する方向に力が作用し、良好な切り口で記録媒体を切断することができる。キャリッジ４０が画像記録装置の右端の位置まで移動すると、不図示のストッパ部材により、突き当て部材１４は矢印Ｃの方向に移動させられる。そして、丸刃突き出し部材１１は、ギア１２及びギア１３を介して矢印Ｉの方向に移動させられる。これにより丸刃２１は、丸刃２１が固定刃６に当接する位置（図８に示す位置）から、丸刃ユニットカバー２９内に収納されている位置（図７に示す位置）まで移動させられる。
【００２７】
次に、図５、図６、図７及び図８を参照して、ロック部材２７の作用について説明する。切断装置２００を長時間使用していると、丸刃２１の寿命等で記録媒体を切断することができなくなることがある。その場合は、本実施形態の切断装置２００にあっては、丸刃ユニット２０を新品に交換することにより、切断性の回復を図ることができる。この場合、キャリッジ４０から取り外された丸刃ユニット２０は、ロック戻しバネ２８がロック部材２７を回動トリガー部材２３が矢印Ｅの方向に回動することを防止する位置（図６に示す位置）に移動させる。これにより、キャリッジ４０から取り外された丸刃ユニット２０は、丸刃回動ホルダ２２を回動させることができなくなるため、丸刃２１が露出することがなく、安全に取り扱うことが可能となる。キャリッジ４０に取り付けられた丸刃ユニット２０は、キャリッジ４０に取り付けられている不図示のロック解除部材により、ロック部材２７は、矢印Ｇの方向に図５に示す位置まで回動し、回動トリガー部材２３が矢印Ｅの方向に回動することが可能となる。これにより、丸刃２１は、丸刃２１が収納されている位置（図７に示す位置）と丸刃２１が固定刃６に当接する位置（図８に示す位置）に移動可能となる。また、丸刃２１の寿命等で切断途中にカットジャムが生じることがある。その場合は、本実施形態の切断装置２００にあっては、丸刃ユニット２０をキャリッジ４０から取り外すことにより、ジャム処理を容易に行うことができる。この場合、ロック部材２７は回動トリガー部材２３が矢印Ｅの方向に回動することを防止する位置（図６に示す位置）にある状態で、回動トリガー部材２３は矢印Ｄの方向に回動して、丸刃２１が収納されている位置（図７に示す位置）に戻らなければならない。しかしながら、回動トリガー部材２３が矢印Ｄの方向に回動する際、ロック戻しバネ２８の付勢力に反して、ロック部材２７を矢印Ｇの方向に回動させながら移動する。これにより、回動トリガー部材２３は丸刃２１が収納されている位置（図７に示す位置）まで移動することが可能となる。この状態になると、ロック部材２７はロック戻しバネ２８の付勢力により、回動トリガー部材２３が矢印Ｅの方向に回動することを防止する位置（図６に示す位置）まで移動させられる。これにより、キャリッジ４０から取り外された丸刃ユニット２０は、丸刃回動ホルダ２２を回動させることができなくなるため、丸刃２１が露出することがなく、安全に取り扱うことが可能となる。
【００２８】
以上、説明したように、本実施形態の場合、丸刃ユニット２０がキャリッジ４０から取り外された状態では、ロック部材２７は、回動トリガー部材２３を丸刃２１が収納されている位置から回動することを防止する位置に移動させられる。一方、丸刃ユニット２０がキャリッジ４０に装着された状態では、ロック部材２７は、回動トリガー部材２３が回動することが可能な位置に移動させられる。したがって、丸刃ユニット２０がキャリッジ４０から取り外された状態の時に、丸刃２１が丸刃ユニットカバー２９から露出することはなく、安全に丸刃ユニット２０を取り扱うことができる。
【００２９】
なお、上記実施例では、丸刃ユニット２０を切断方向（矢印Bの方向）に移動させる移動手段に記録ヘッド１を移動させるキャリッジ４０を用いた構成としたが、丸刃ユニット２０のみを専用に移動させる移動手段を用いた構成としても良い。
【図面の簡単な説明】
【００３０】
【図１】本発明の切断装置を画像記録装置に適用した場合の主要部斜視図である。
【図２】本発明による切断装置を構成する丸刃ユニットの斜視図である。
【図３】丸刃収納時の切断装置を示す模式的縦断面図である。
【図４】丸刃当接時の切断装置を示す模式的縦断面図である。
【図５】丸刃回動ホルダが回動可能の状態を示す斜視図である。
【図６】丸刃回動ホルダが回動不可能の状態を示す斜視図である。
【図７】丸刃収納時の切断装置を示す斜視図である。
【図８】丸刃当接時の切断装置を示す斜視図である。
【符号の説明】
【００３１】
１  記録ヘッド
２  メインレール
３  サブレール
４  搬送ローラ
５  プラテン
６  固定刃
７  排紙部材
１１  丸刃突き出し部材
１２  ギア
１３  ギア
１４  突き当て部材
２０  丸刃ユニット
２１  丸刃
２２  丸刃回動ホルダ
２３  回動トリガー部材
２４  丸刃戻しバネ
２５  軸部材
２６  丸刃押圧バネ
２７  ロック部材
２８  ロック戻しバネ
２９  丸刃ユニットカバー
４０  キャリッジ
２００  切断装置
【図１】
2007245242.tif 000003
【図２】
2007245242.tif 000004
【図３】
2007245242.tif 000005
【図４】
2007245242.tif 000006
【図５】
2007245242.tif 000007
【図６】
2007245242.tif 000008
【図７】
2007245242.tif 000009
【図８】
2007245242.tif 000010